(57)【特許請求の範囲】
【請求項１】
コンデンサ（５）の充電電流を変え、双方向性トリガダイオード（４）を介してトライアック（３）により交流電源（１）の位相制御を行い、トライアック（３）と直列に接続された交流モータ（２）の速度制御を行う交流モータ速度制御回路において、
交流電源（１）の一方の端子（Ｔ）と上記コンデンサ（５）との間に、単相フルブリッジ回路装置（６１）の交流端子を接続し、
該単相フルブリッジ回路装置（６１）の負側直流端子Ｎと上記交流電源（１）の他方の端子（Ｒ）との間に、平滑コンデンサ（９）とダイオード（８）の直列回路を挿入し、
上記単相フルブリッジ回路装置（６１）の正負直流端子Ｐ，Ｎとの間にエミッタ側に抵抗器（１４）を介してＰＮＰ型のトランジスタ（７）を挿入し、
上記コンデンサ（９）と並列に時限用充電抵抗器（１１）と時限用充電コンデンサ（１３）との直列回路を接続し、
時限用充電抵抗器（１１）と時限用充電コンデンサ（１３）の接続点を抵抗器（１２）を介して上記トランジスタ（７）のベースに接続し、交流モータ（２）をソフトスタートさせることを特徴とする交流モータ速度制御回路。
【発明の詳細な説明】
【０００１】
【発明の属する技術分野】
本発明は可搬形の電動工具に適用される速度可変型交流モータを自動的にソフトスタートさせることができる交流モータの速度制御回路に関するものである。
【０００２】
【従来の技術】
可搬型の電動工具用の交流モータ速度制御回路の従来の回路例を図３に示す。この従来の制御回路は、可変抵抗器６の設定を変えてコンデンサ５の充電電流を変え双方向性トリガダイオード４を介してトライアック３で単相交流電源１の位相制御を行い交流モータ２の回転数を可変抵抗器６の設定に応じた回転数として得ている。
【０００３】
【発明が解決しようとする課題】
しかし、従来の回路例では交流モータ２の回転数を設定回転数に向かって自動的に漸増させることはできない。
【０００４】
また、電動工具を使用する際にその電動工具の速度制御を行うための手段として、手動により可変抵抗器６を操作して交流モータをソフトスタートさせる作業は可能ではあるが、この場合可変抵抗器６を手動で操作しなければいけないことから、作業が甚だやり難いという問題点がある。
【０００５】
一方、電動工具を遠方に固定しリモートコントロールにより可変抵抗器６を調節し交流モータの速度制御をする場合もあるが、非常に複雑なリモート制御機構を必要とする問題点を有していた。
【０００６】
上記２つの問題点を解決するための手段として、図４で示すようなトランジスタ７と、単相フルブリッジ回路６１とを組み合わせた回路を図３で示している交流モータ回転制御回路の可変抵抗器６と置き代えることが考えられるが、トランジスタ７用として交流電源に対して独立した新たな直流電源２０が必要である。勿論、変圧器を用いて電源２０を作ればよいが変圧器使用の場合は、電源装置が重たく、大きくなってしまうことから変圧器使用の電源を可搬形電動工具に内蔵することは不可能であるという問題点が生じる。
【０００７】
本発明は、上記すべての問題点に着目してなされたもので、可変抵抗器６を用いず、電源部に変圧器を用いないで可搬型の電動工具の電源回路として小形軽量で、なおかつ駆動モータの回転が０速度から所要回転速度に向かって自動的に速度を緩増する、所謂自動ソフトスタートさせることの出来る交流モータの速度制御回路の提供を目的とすることである。
【０００８】
【課題を解決するための手段】
上記の目的を達成するために本発明では、コンデンサの充電電流を変え、双方向性トリガダイオードを介してトライアックにより交流電源の位相制御を行い、トライアックと直列に接続された交流モータの速度制御を行う交流モータ速度制御回路において、交流電源の一方の端子と上記コンデンサとの間に、単相フルブリッジ回路装置の交流端子を接続し、該単相フルブリッジ回路装置の負側直流端子と上記交流電源の他方の端子との間に、平滑コンデンサとダイオードの直列回路を挿入し、上記単相フルブリッジ回路装置の正負直流端子との間にエミッタ側に抵抗器を介してＰＮＰ型のトランジスタを挿入し、上記コンデンサと並列に時限用充電抵抗器と時限用充電コンデンサとの直列回路を接続し、時限用充電抵抗器と時限用充電コンデンサの接続点を抵抗器を介して上記トランジスタのベースに接続し、交流モータをソフトスタートさせることを特徴としている。
【０００９】
【発明の実施の形態】
図１に本発明の交流モータを速度制御する概念図を示す。具体的に図２に、実施の形態としてショックレスに交流モータを自動的に始動するソフトスタート回路を示す。
【００１０】
交流電源１の両端間に交流モータ２とトライアック３を交流モータ２を交流電源１のＲ端側にして、直列に接続する。トライアック３のゲートに双方向性トリガダイオード４の１端を接続し、双方向性トリガダイオード４の他端をコンデンサ５に接続する。コンデンサ５の他端は、交流モータ２とトライアック３の接続点に接続する。交流電源１の１端Ｔとコンデンサ５との間に、単相フルブリッジ回路装置６１の交流端子を接続する。単相フルブリッジ回路装置６１の負側直流端子Ｎと上記交流電源１の他端Ｒとの間に、充電用ダイオード８をＲ端側にして平滑コンデンサ９と充電用ダイオード８の直列回路を挿入する。単相フルブリッジ回路装置６１の負直流端子ＮにＰＮＰ型のトランジスタ７のエミッタを抵抗１４を介して接続し、正直流端子Ｐにトランジスタ７のコレクタを接続する。平滑コンデンサ９と並列に時限用充電抵抗器１１を充電用ダイオード８側にして時限用充電抵抗器１１と時限用充電コンデンサ１３との直列回路を接続し、両者の接続点とトランジスタ７のベースとを抵抗器１２で接続する。
【００１１】
従って、この実施の形態によれば、平滑コンデンサ９は充電用ダイオード８及びダイオード要素６１１にて最大１サイクルの遅れで充電される。この電圧は、時限用充電抵抗器１１を介して時限にて時限用充電コンデンサ１３の電圧を立ち上げる。トランジスタ７のベース電圧は、時間と共に増大し、即ちトランジスタ７と単相フルブリッジ回路装置６１の等価抵抗は時間と共に小さくなりモータ速度が自動的に速くなり、交流モータの回転速度を０速度から所望の回転速度まで自動的にソフトスタートさせることができる。
【００１２】
【発明の効果】
以上のように本発明によれば、変圧器を新たに設けることなく、また可変抵抗の制御を行わず、更にショックレスに自動的に始動する交流モータのソフトスタート回路を得ることができる。
【図面の簡単な説明】
【図１】本発明を示す制御回路概念図。
【図２】本実施の形態を示す制御回路図。
【図３】従来の交流モータ回転制御回路図。
【図４】単相フルブリッジ回路装置とトランジスタ７による、可変抵抗器６と置換する制御要素。
【符号の説明】
１…交流電源                            ２…交流モータ
３…トライアック                        ４…双方向トリガダイオード
５…コンデンサ                          ６…可変抵抗器
６１…単相フルブリッジ回路装置          ６１１…ダイオード要素
７…トランジスタ                        ８…充電用ダイオード
９…平滑コンデンサ                      １０…トランジスタ７の駆動回路
１１…時限用充電抵抗器                  １２…抵抗器
１３…時限用充電コンデンサ              １４…抵抗器
【図１】
0003944263.tif 000002
【図２】
0003944263.tif 000003
【図３】
0003944263.tif 000004
【図４】
0003944263.tif 000005